Podtech/llm-jp-corpus-v4-ja_patent huggingface dataset:
(57)【要約】      （修正有）【課題】迷子のペットが固体自らの能力を活かして、帰巣することが出来る装置とその方法を提供する。【解決手段】ペットが食事をしている間特定の音域を使用したメロディーが発音するようにセットした装置によりペット自身の体に装置をつけるような負担もなく、第三者の情報を得られずとも、個体が帰巣出来るようにしたものである。【選択図】なし【特許請求の範囲】
【請求項１】
犬、猫等のペットが食事をしている間特定の音域を使用したメロデーが発音するようにセットされた装置。
【請求項２】
犬、猫等のペットが迷子状態になった時、その発音装置によって発音の方角と位置を知らせることによりペットが自分の足で帰巣出来るようにする方法と技術。
【発明の詳細な説明】
【技術分野】
【０００１】  本発明は、犬、猫等のペットが迷走状態となり固体の能力のみでは帰巣することが困難になった場合、それを特定の音源をもって誘導し自らの足で帰巣を容易にする発音装置とその方法に関する技術。
【背景技術】
【０００２】  従来のペット検索システムはペット自身が帰巣できる方法を提供するのではなく、そのペットが迷子である事を他の人々に知らしめる信号等により、飼い主に連絡をしてもらうという方法であった。【０００３】  これ等の方法は、例えれば迷子のペットに通話機で話しかけても自ら帰巣するという行動はとれない。更にペットに装着された迷子信号もそれを見た第三者がなんの信号なのか理解していなければ、飼い主に連絡されない。又、迷子のペットにそのペットの音声及び映像を含む情報を提供することの出来る記録をセットしても、やはりそれを第三者が迷子のペットであるという事を認識し情報を取り出そうとしない限りは帰巣には繋がらないし、ペット自身が自分の足で帰巣することにも繋がらない。
【特許文献１】    特開平９−３１９７５５
【発明の開示】
【発明が解決しようとする課題】
【０００４】  以上に述べた従来の機器はいずれの場合でも第三者の力を借りて、連絡等をしてもらうことを前提としており迷子のペット自身で帰巣することを目的としていない。【０００５】  本発明はこの様な従来のシステム及び機器が有していた問題を解決しようとするものであり、迷子のペットが本発明の装置及び方法を通じて固体自らの能力を活かして、帰巣することが出来るようにしたものである。
【課題を解決するための手段】
【０００６】  ペットの日常生活において常習的に、食事時間が始まってから終わるまで特定の音域とメロデーを発音する装置を使用する。この場合他の同種の装置との違いを明確にする為、各装置ごとにメロデーをかえておく。【０００７】  発音装置の発する音域を１００００ヘルツ〜２００００ヘルツに設定する。【０００８】  その音域はペットである犬、猫にとっては日常音域であり十分可聴域であるが人間にとっては日常音域外であり可聴域とされてはいるが、事実上殆んど聞き取ることはできない。
【発明の効果】
【０００９】  特にペットが意識及び無意識にわたり、記憶に残りやすい状態にある食事をしている時間の背景に特定の音域と伴に特定のメロデーをペットに聞かせる。これにより条件反射として、この音域とメロデーはペットにとっては食事の合図であり生存本能に繋がる強烈なインパクトを伴って、意識下に刷り込まれる。【００１０】  この方法を日常的に実行していくことにより、ペットが迷子状態になった時、その発音装置を野外に向けあるいは飼い主が携帯して発音することにより、迷子状態にあるペットに帰るべき方角と、位置を知らしめることが出来、後は固体自らの能力を活かして音源に向かって帰ってくることが出来る。
【発明の実施をするための最良の形態】
【００１１】  以下、本発明の形態を図１〜図２に基づいて説明する。
【００１２】  図においては、１は本機を携帯する時に利用する掴み部分。
【００１３】  ２はペットが本機の前面にて食事をするときに、ペットを感知するセンサーの窓部分。
【００１４】  ３は本機の電源スイッチ。
【００１５】  ４は本機をセンサー作動によらず必要に応じて発音するスイッチ。
【００１６】  ５はスピーカー部分。
【００１７】  ６はペットが食事をする皿の部分。
【００１８】  ７は本機と皿の部分を定位置に固定させる台皿部分。
【図面の簡単な説明】
【００１９】
【図１】  本発明の実施形態を示す発音装置の外観図。
【図２】  発音装置と食事用皿との位置を横から見た外観図。
【図１】
2005192540.tif 000002
【図２】
2005192540.tif 000003
(57)【要約】【課題】電話回線にて遠隔地設置の生活反応センサー情報、又は緊急情報を通信通話料を発信受信側共に発生させないシステム。【解決手段】遠隔地の宅内生活対応センサーが対応すると、自動的に決められている電話番号０１２０×××××に宅内設置の自動発信電話装置より発信します。受信者側のコンピュータは事前にＮＴＴ東，西株式会社より、発信者番号通知サービスを受けているのでどこの家から発した電話番号であるかを認識できます。０１２０×××××の電話番号の受信で、宅内のどのセンサーからの情報であるかも把握できます。その際、受信コンピュータでは電話回線を通話モードでなく、呼び出しモードにしているから、通信通話料が発生しません。通話の切断は自動発信電話装置側より行います。宅内の緊急情報の場合は上記同様ですが、０１２０○○○○○を自動発信電話装置に登録すれば受信側コンピュータは受信回線より、緊急情報と判断可能であります。【選択図】なし【特許請求の範囲】
【請求項１】
公衆電話回線を利用し、発信者，受信者側ともに通信通話料を発生させず、遠隔地でのひとり暮らし老人、又は病弱者の宅内設置のセンサー情報、及び緊急情報を入手する方法。
【請求項２】
公衆電話回線網を通じて遠隔地設置の宅内センサーより入手した情報をベースに受信者側ではインターネット、又は電話，ＦＡＸを通じてひとり暮らし老人、又は病弱者の親権者に対し、安否情報、又は緊急事態を電子メール他通信手段で知らせ、対価を得るビジネス形態。
【請求項３】
公衆電話回線網での発信者側の通信通話料が発生しない事を明確にする為、ＮＴＴ東，西株式会社の０１２０フリーダイヤルを利用する事を明示。
【発明の詳細な説明】
【技術分野】本発明は電話の通信・通話料が発生する前に発信者情報を入手することです。
【背景技術】ＮＴＴ東，西株式会社の電話サービス品目に発信者番号通知サービスがあり、それを利用し、受信者側が受話器をオフ状態のまま、発信者が誰かを確認できる仕組みが背景にあります。
【発明の開示】
【発明が解決しようとする課題】遠隔地には宅内生活反応センサーが設置されており、どのような種類のセンサーが反応したかの判別と反応したセンサー情報はどこの家から発信されたかを判別する点です。
従来発信者側と受信者側が電話回線での通話モードで初めて判別が確認できました。
すなわち通信通話料が有料の場合のみ可能であった、今回の課題は電話の通信通話料を発生させず「どこの家」から「どんなセンサー」の情報を発したかを判明させる点です。
【課題を解決する為の手段】
遠隔地の宅内生活反応センサーが反応すると自動的に予め決められている、電話番号０１２０×××××に自動発信電話装置より発信します。
受信側のコンピュータは事前に発信者番号通知サービスを受けているので、どこの家から発した電話番号であるかを認識できるし、０１２０×××××の受信番号はどんなセンサーからの情報であるかが把握できます。
その際、受信側のコンピュータでは電話回線を通話モードでなく、呼出しモードにしているから、通信電話料が発生しません。
電話回線の切断は遠隔地の自動発信電話電話装置が３０〜６０秒後に行います。
又、緊急事態が発生した場合も上記同様とするが、自動発信電話装置に予め登録します。
電話番号を０１２０○○○○○に決めておけば、受信側のコンピュータは「どこの家」で「緊急通知」が発したかが認識できます。
受信側コンピュータで「どこの家」から「どんなセンサー情報」が認識できると、次は「いつ情報が発生したか？」ですが、これは受信側コンピュータが電話回線を通じてセンサー情報が入ってきた時刻をコンピュータの持つ時計を利用してタイムスタンプします。
これにより「いつ？どこから？どんなセンサー情報が？」の情報が受信者側コンピュータに情報収集されたので、この集った情報を利用、加工し、販売するビジネスが可能となりました。
その活用例として、ひとり暮らし老人，病弱者の毎日の安否確認、緊急通知を親権者に電子メール等々で伝えるビジネスシステムが可能となりました。
又、自治体老人福祉の場合は電子メールの他、安否情報をＦＡＸでも伝える事が可能なシステムとします。
2005192171.tif 000002
(57)【要約】［課題］  通勤時間を短縮させたり、家族に自家用車等で駅まで送ってもらっている人は、家族が朝夕２往復しなくていいようにする。又、駅前周辺道路の渋滞を緩和させると共に、駐車場とその周辺は飛地ではあるが、駅前としての機能を発生させる。［解決手段］  自宅からまず自家用車等に乗り、駅まで歩くには少し遠い距離（概ね１．０ｋｍ以上。）にある大規模駐車場（既存の大型商業施設（大型スーパー、ホームセンター、パチンコ店など。）の駐車場を利用してもよい。）に自家用車等を駐車し、そこでバスに乗り換え、駅まで行き、電車に乗って通勤等を行う。【選択図】  図１
2005192379.tif 000002
【特許請求の範囲】
【請求項１】
自宅からまず自家用車、バイク、自転車など（以下「自家用車等」という。）で出発し、そしてそれを比較的大規模な駐車場に駐車する。そこでバスに乗り換え、駅まで行き、電車に乗って通勤、通学、レジャー、ショッピング、食事など（以下「通勤等」という。）を行うシステム。
【発明の詳細な説明】
【発明の詳細な説明】
［従来の技術］
【０００１】  自宅から徒歩で最寄りのバス停まで行き、バスに乗って駅まで行く。又、最近では自宅から家族が運転する自家用車で駅まで送ってもらい、電車に乗って通勤等を行っている。
［発明が解決しようとする課題］
【０００２】▲１▼  バス停が徒歩圏内にない人や、徒歩圏内にあってもバス便が少なく不便な場合がある。又、自家用車で家族に駅まで送ってもらう場合でも朝夕２往復しなければならないので家族に負担がかかる。
▲２▼  朝夕の通勤ラッシュ時や、雨の日は駅前周辺道路が渋滞する。
［課題を解決するための手段］
【０００３】  自宅からまず自家用車等に乗り、駅まで歩くのには少し遠い距離（概ね１．０ｋｍ以上。）にある大規模駐車場に自家用車等を駐車し、そこでバスに乗り換え、駅まで行き、電車に乗って通勤等を行う。
［発明の効果］
【０００４】  駐車場が大規模なため、そこに多くの人が集まるので、朝夕の通勤ラッシュ時には、バス便をたくさん出すことが出来、バス待ち時間を少なくすることが出来る。又、駅前周辺道路の渋滞を緩和する事が出来る。更に、駐車場とその周辺は飛地ではあるが駅前としての機能が発生し魅力が出る。
［発明を実施するための最良の形態］
【０００５】  大規模駐車場は既存の大型商業施設（大型スーパー、ホームセンター、パチンコ店など。）の駐車場を利用すればほとんどコストがかからない。そして駐車場から駅までは既存の路線バスがうまくあればそれを利用するか、なければ新しくバス路線を開設する。又は、駐車場経営者による無料シャトルバスを運行してもよい。
【図面の簡単な説明】
【図１】自宅、駐車場、駅付近のイメージ図である。
【符号の説明】
１  自宅
２  自家用車等
３  バス
【図１】
2005192379.tif 000003
(57)【要約】【課題】体・背中を洗う場合、特記する用品は無い。洗いにくい背中全体をリズミカルに洗えるエアロビブラシ装置を提供する。【解決手段】ブラシ盤本体１は洗う用途によりブラシ形状、硬さが替える事が出来、組替ブラシ半円柱１Ａ、組替硬質ブラシ１Ｂ等の機能を加える事によりツボ洗いも出来る。ブラシ盤本体のエアロビブラシをパイプフレーム３によって取付ける。手足の不自由な場合、取外し椅子５、バイブレーター、ローリング装置７を設ける事により容易に背中が洗える。【選択図】【図２】
2005192693.tif 000002
【特許請求の範囲】
【請求項１】
身体を洗う為に抗菌ブラシを盤に取付け成型し、ブラシ部分を性能・形状の違うブラシに組替の出来る事を特徴とし、洗う用途により使い分けの出来るエアロビブラシ。    
【請求項２】
浴室、シャワー室の壁面にブラシ取付用のパイプをビス等で取り付けブラシ盤を取り付ける。本人の体を動かすことにより身体を洗うことが出来るエアロビブラシ。    
【請求項３】
ブラシ盤本体は取付用のパイプを利用しスライド機能があり、高さ調整が出来る。    
【請求項４】
ブラシ盤本体はバイブレーター機能、ローリング機能を設けることが出来、稼動することにより身体が洗えるエアロビブラシ。    
【請求項５】
ブラシ取付パイプを使用しスプリングと椅子を取り付けることによりスライドする椅子を任意の高さにセット出来、腰掛けて使えるエアロビブラシ。    
【請求項６】
ブラシ盤に脱着材、吸盤等を数個取付けることにより、簡単に壁面に取付けることが出来る。 
【発明の詳細な説明】
【技術分野】
【０００１】
本発明は、両手、片手の使用で洗いにくい背中や身体を子供から大人まで、上下スライドするエアロビブラシを壁面に取付けることにより簡単に身体洗いが出来ると共に、軽運動出来る事を目的とする。    
【背景技術】
【０００２】
背中洗いの場合、両手を使用しタオルで洗うかハンドブラシにて洗う。
【発明の開示】
【発明が解決しようとする課題】
【０００３】
背中洗いの場合、一般的にタオルが使用される。その場合、洗い残しが出来る、及び部分洗いが出来ない。手の不自由の場合は１人で洗えない。
【課題を解決するための手段】
【０００４】
本発明は、壁面に上下スライドするエアロビブラシを取付けることにより、健常者は背中全面洗いを容易にし背中以外も洗う事が出来る。ブラシは互換性のある、性能、形状の違うものに取り替える事が出来、洗う用途により選択できる。ブラシを替え突起部分を設けることによりツボ洗いも出来る。リズミカルに体を動かし洗うことにより、健康維持にも役立つ。ブラシのマッサージ効果により血行も促進することが出来る。
【発明の効果】
【０００５】
本発明により体・洗いにくい背中を洗う場合、健常者においては本人がエアロビクスのように体を動かすことにより体が洗え、身障者においては取外し椅子５、バイブレーター、ローリング装置７の機能により体が洗える。ブラシ盤本体１に取替抗菌ブラシの使用によりマッサージ効果もあり皮膚の血行促進効果も上げる事が出来る。
【実施例】
【０００６】
図１は本発明装置の斜視図である。    
【０００７】
請求項１の発明は、本実施例図３のように背中を洗う場合に対し、背中全面の洗える広さのブラシ盤１を設ける。又、ツボ洗いの出来る為に組替ブラシ半円柱１Ａ、組替硬質ブラシ１Ｂのように部分的に性能の異なるブラシに取り替える事が出来、体の状況にあった洗い方の出来るブラシ盤を形成することが出来る。ブラシ盤の形状は部分洗い用に小さくする事も出来る。
【０００８】
請求項２の発明はブラシ盤１を壁面に固定し使用する。図２のように固定ソケット２を用いビス・ボルト等で固定することにより各請求項の機能を提供する事が出来る。
【０００９】
請求項２の構成により取付けられたブラシ盤１は、子供から大人までの使用のために高さ調整が必要であり、パイプフレーム３を使い、高さ調整ソケット４により任意にブラシ盤１の高さ調整が出来る。図1の実施例はブラシ盤が大きいのでパイプフレームは2本であるが、ブラシ盤の幅が小さな場合、パイプフレームは1本でも良い。
【００１０】
請求項４の発明はブラシ盤本体１内部にバイブレーター、ローリング装置７を設ける事が出来、手足の不自由な場合ローリング装置７の機動により体を洗うことが出来る。
【００１１】
請求項５の発明は足の不自由な場合パイプフレーム３を使いスプリング６と取外し椅子５の取付けが出来る。背中洗いの場合スプリング６の効果で、横に椅子を繰り返しスライドする事により体を洗うことが出来る。
【００１２】
請求項６の発明は図４実施例の示す様にブラシ盤１を壁面に簡単に、脱着を要する場合に対応し吸盤等による取付を考案したものである。
【図面の簡単な説明】
【００１３】
【図１】本発明の第１実施例を示す前側の斜視図である。
【図２】本発明の第１実施例を示す立面図である。
【図３】本発明の第１実施例のブラシ盤を示す正面図である。
【図４】本発明の第２実施例を示す立側面図である。
【符号の説明】
【００１４】
１    ブラシ盤本体１Ａ  組替ブラシ半円柱１Ｂ  組替硬質ブラシ２    固定ソケット３    パイプフレーム４    高さ調節ソケット５    取外し椅子６    スプリング７    バイブレーター、ローリング装置８    吸盤 
【図１】
2005192693.tif 000003
【図２】
2005192693.tif 000004
【図３】
2005192693.tif 000005
【図４】
2005192693.tif 000006
(57)【要約】【課題】      従来のブラシやタワシは一方の端は丸めるものの残りの端は、２本の針金がそのままの状態となっており、使用に際しては怪我などをしないように加工することが必要であった。そこで本発明は、上記事情を鑑み健康ブラシなどに使用しても怪我などしないような安全ブラシを製造する方法を提供することを課題とする。【解決手段】  一本の針金（１）を長円形状に折り曲げ、円弧の中ほどの一点で接合させて接合点（２）を設けることを特徴とする安全ブラシの製造方法である。【選択図】    図１
2005192679.tif 000002
【特許請求の範囲】
【請求項１】
一本の針金（１）を長円形状に折り曲げ、円弧の中ほどの一点で接合させて接合点（２）を設け両端がリング形状にした事を特徴とする安全ブラシの製造方法。
【発明の詳細な説明】
【技術分野】
【０００１】  本発明は、ブラシの製造方法に係り、特に使用時の安全性を重視した両端にリング形状の付けた安全ブラシの製造方法に関する。
【背景技術】
【０００２】  従来のブラシやタワシの製造方法は、著名な亀の子束子（商標文献１参照）に代表されるように、１本の針金の真ん中部分を折り曲げて２本にしてその間にシュロやパーム・化繊などの細い繊維を挟みこんで、折り曲げた先端をフック状のもので引っ張り、２本の針金をよじって棒状のブラシにしたもので一方の端はリング形状をしているがもう一方は二本の針金がそのままの状態が一般的であった。【０００３】
【商標文献１】
商標登録番号：第４０６７６号  登録日：明治４３年年４月１９日  商標：亀の子たわし  商標権利者：株式会社亀の子束子西尾商店
【発明の開示】
【発明が解決しようとする課題】
【０００４】  従来のブラシやタワシは前記の通り一方の端は丸めるものの残りの端は、２本の針金がそのままの状態となっており、使用に際しては怪我などをしないように注意することが必要であった。特に最近多く利用されている健康ブラシに使用する場合などは、針金の端の部分で身体を引掻く危険性も充分あった。そこで本発明は、上記事情を鑑み健康ブラシなどに使用しても怪我などしないような安全なブラシをを提供することを課題とする。
【課題を解決するための手段】
【０００５】  上記問題点を解決するために、一本の針金（１）を長円形状に折り曲げ、円弧のどこか一点で接合させて接合点（２）を設ける。そして円弧の両端をフック（３−ａ）・（３−ｂ）に引っ掛けて両方から強く引っ張り、針金の間に繊維部分（４）を揃えて挟み込み、両方のフックａ（３−ａ）とフックｂ（３−ｂ）を一定方向に捩ってブラシ（５）を設ける。
【発明の効果】
【０００６】  従来のブラシやタワシは一方の先端は針金が丸くなっているものの、もう一方は針金の切断面が露出していたが、本発明を使用すれば両端の針金が丸くなっているため安全性に優れたブラシを製造することが可能となる。
【発明を実施するための最良の形態】
【０００７】  本発明の実施するための最良の形態について説明する。図１は、一本の針金（１）もしくはこれに類するものを極端な長円形状に折り曲げて、円弧の中ほどの一点で接合させて接合点（２）を設けた図である。接合の方法は点溶着などの方法が考えられるが、方法にはこだわらなくどのような方法でも良い。図２は、折り曲げ部分の円弧の両端をフックａ（３−ａ）とフックｂ（３−ｂ）に引っ掛けて両方から強く引っ張り、２本の針金の間にシュロやパーム・化繊などをカットした繊維部分（４）を揃えて挟み込み、両方のフックａ（３−ａ）とフックｂ（３−ｂ）を一定方向に捩ってブラシ（５）を設けた図である。
【実施例】
【０００８】  図３は上記方法によって設けたブラシ（５）の両端に紐を付けて設けた健康ブラシである。
【図面の簡単な説明】
【０００９】
【図１】    本発明の特徴をあらわす針金の平面図
【図２】    本発明を利用して設けたブラシの平面図
【図３】    本発明を利用して設けた健康ブラシの斜視図
【符号の説明】
【００１０】（１）        針金
（２）        接合点
（３−ａ）    フックａ
（３−ｂ）    フックｂ
（４）        繊維部分
（５）        ブラシ
【図１】
2005192679.tif 000003
【図２】
2005192679.tif 000004
【図３】
2005192679.tif 000005
(57)【要約】【課題】  柔軟性を有するワイヤーを使用することにより、カレンダー等の穴に通して吊り下げることができるし、フック片にも通常通り物品を吊り下げられると共に、吊具の係止部を係止させることによりワイヤーをループ状に形成し、ハンドバッグの取っ手等を支持することもでき、多目的に使用できる吊下具を提供する。【解決手段】  壁等に取り付ける固定手段を設けると共に、フック片を設けてなる吊下本体に、上端を固定し、下部にフック片に係止する係止部を形設してなるワイヤーによる吊具を設けてなることを特徴とする。【選択図】  図１
2005192676.tif 000002
【特許請求の範囲】
【請求項１】
壁等に取り付ける固定手段を設けると共に、フック片を設けてなる吊下本体に、上端を固定し、下部にフック片に係止する係止部を形設してなるワイヤーによる吊具を設けてなることを特徴とする吊下具。
【請求項２】
係止部が、輪状であることを特徴とする請求項１記載の吊下具。
【請求項３】
固定手段がピンであることを特徴とする請求項１又は２記載の吊下具。
【発明の詳細な説明】
【技術分野】
【０００１】  本発明は、吊具の係止部に引っ掛け、カレンダーやハンドバッグ、洋服ハンガー等を吊り下げると共に、吊下本体のフック片と吊具の係止部に別々の物品を吊り下げることのできる吊下具に関するものである。
【背景技術】
【０００２】  背景の技術として、同様な機能を有するものはないが、例えば、展示パネルの上縁に嵌合する嵌合凹部を下部に形成し、この上部の左右両側に、開口部を外側に向けた断面略Ｃ形のガイドレールを一体に設けてガイドフレームを構成し、このガイドフレームを、パネルの左右両側をスタンドに着脱自在に係合させて組立てる展示パネルの上縁に沿って取付けると共に、前記ガイドレールにキャリアスライドを摺動自在に係合させ、このキャリアスライドにワイヤーを介して高さ調整自在に吊り下げフックを取付けたことを特徴とする展示パネル用展示物支持装置がある。（特許文献１参照）【０００３】  上記実施例の中で、特にキャリアスライドとワイヤーと吊り下げフックの構造が示されているが、キャリアスライドにフック片を設けていないため、単に吊り下げフックに展示パネル等の展示物を取り付けて表示するもので、本発明の吊下具とは基本的な機能が異なるものである。
【特許文献１】特開平１１−２２１１４１号公報
【発明の開示】
【発明が解決しようとする課題】
【０００４】  解決しようとする問題点は、上記に記載した通りであり、本発明は柔軟性を有するワイヤーを使用することにより、カレンダー等の穴に通して吊り下げることができるし、フック片にも通常通り物品を吊り下げられると共に、吊具の係止部を係止させることによりワイヤーをループ状に形成し、ハンドバッグの取っ手等を支持することもでき、多目的に使用できる吊下具を提供することを目的とするものである。
【課題を解決するための手段】
【０００５】  本発明は、上記課題を解決する手段として、壁等に取り付ける固定手段を設けると共に、フック片を設けてなる吊下本体に、上端を固定し、下部にフック片に係止する係止部を形設してなるワイヤーによる吊具を設けてなること。また、係止部が、輪状であること。さらに、固定手段がピンであることを特徴とする。
【発明の効果】
【０００６】  本発明の吊下具によれば、以下の効果を奏する。
１）、フック片と吊具の係止部に同時に物品を吊り下げることができる効果がある。
２）、柔軟性を有するワイヤーによる吊具により、係止部を指で押しつぶし、カレンダー等の穴に挿入した後、フック片に係止部を係止させて吊り下げることができる。
３）、また、カレンダー等の重さが軽い時は、挿入後係止部が輪状になり、アンカーとして吊り下げることができると共に、係止部に別の物品を吊り下げることができる。
４）、カバン等の太い取っ手に吊具を通し、係止部をフック片に係止して吊り下げることができ、比較的大きな物品を吊り下げることができる。
５）、洋服ハンガー等を何本も掛けることができるため、狭い部屋での生活に、特に便利である。
【発明を実施するための最良の形態】
【０００７】  本発明の吊下具の実施例を述べる。
【実施例１】
【０００８】  吊下具１は、壁等に取り付ける水平状に形成したピンによる固定手段２ａを突設すると共に、円盤型のフック片２ｂを設けてなる吊下本体２の下部に、上端を固定し、下部にフック片２ｂに係止する輪状の係止部３ａを設けてなる適宜な長さの柔軟性のあるワイヤー３ｂによる吊具３を設けてなるものである。【０００９】  上記吊下具１は、係止部３ａを指（図示せず）で押しつぶして、カレンダーＫの穴に挿入して使用できる（二点鎖線参照）と共に、係止部３ａをフック片２ｂに係止して、各種物品を吊り下げることができる。
【実施例２】
【００１０】  吊下具２１は、斜状に形成したピンによる固定手段２２ａを突設すると共に、鉤型のフック片２２ｂを設けてなる吊下本体２２の下部に、上記と同様な係止部２３ａ、ワイヤー２３ｂからなる吊具２３を設けてなるものである。【００１１】  この吊下具２１は、上記と同様な機能に加え、ピンを斜状にすることにより、より重い物品を吊り下げられるもので、重いカバンＫＢの取っ手Ｔに吊具２３のワイヤー２３ｂを折り曲げ、係止部２３ａをフック片２２ｂに係止することにより、重量物にも対応できる。
また、洋服ハンガー等を何本も掛けることができるため、狭い部屋での生活に、特に便利である。【００１２】  なお、上記各実施例において、ピン、ワイヤーの長さや径等は必要に応じて設定すればよく、特に限定しない。
また、フック片等は同様な機能を有するものであれば、特に限定しない。
【図面の簡単な説明】
【００１３】
【図１】本発明の吊下具の第１実施例を示す側面図。
【図２】本発明の吊下具の第１実施例を示す正面図。
【図３】本発明の吊下具の第２実施例を示す側面図。
【図４】本発明の吊下具の第２実施例を示す正面図。
【図５】本発明の吊下具の第２実施例を示す使用状態図。
【符号の説明】
【００１４】  １−−−吊下具
２−−−吊下本体
３−−−吊具
Ｋ−−−カレンダー
【図１】
2005192676.tif 000003
【図２】
2005192676.tif 000004
【図３】
2005192676.tif 000005
【図４】
2005192676.tif 000006
【図５】
2005192676.tif 000007
(57)【要約】［課題］  ＢＣＧ接種の効果が不安定で、接種技術の向上がたびたび求められている。正しい接種には、翼が皮膚に均等に接するまで押し付けることが必要であるが、現在の接種管針では、翼が不透明のためこれを確認することが困難である。これを改善することを目的とする。［解決手段］  ＢＣＧ接種管針の翼を透明にして、皮膚に均等に接するように翼が押し付けられていることを透視確認できるようにする。【選択図】  図２
2005192681.tif 000002
【特許請求の範囲】
【請求項１】
ＢＣＧ接種を容易、確実にするため、翼を透明にしたＢＣＧ接種管針。
【発明の詳細な説明】
【発明の詳細な説明】
［発明の属する技術分野］
【０００１】  本発明は、翼を透明にすることにより、ＢＣＧ接種の技術を容易にし、接種の効果をより確実にするためのものである。［従来の技術］
【０００２】  ＢＣＧ接種には、管針の翼が皮膚に均等に接するように押し付ける事が必要であるが、従米のＢＣＧ接種管針では、不透明なプラスティクで作られているため、これを確認することが不可能である。そのため、医師の技術差による接種効果に相当の差が見られ技術向上を求められている。［発明の実施の形態］
【０００３】  翼を透明にしたＢＣＧ接種管針［発明の効果］
【０００４】  ＢＣＧを接種するには、ＢＣＧ液（１）を皮膚（２）に薄く均等に塗り、管針（３）の翼（４）を均等に皮膚に接するまで押し付けることが必要である。翼を透明にすることにより、全体に均等に押し付けられた液（５）の状態を容易に透視確認でき、必要かつ十分な力で接種することができるようになる。翼を透明にすることにより、医師による接種技術の差がなくなり、接種効果のより安定向上が期待される。また、必要以上の力で押し付けて乳幼児に不要な痛みを与えたり、医師に過剰な労働をさせることがなくなる。
【図面の簡単な説明】【図１】管針を押し付ける前の本発明の斜視図
【図２】管針を正しく押し付けたときの斜視図。
【符号の説明】
１  ＢＣＧ液    ２  皮膚    ３  管針    ４  本発明の透明な翼    ５  透視確認できる押し付けられたＢＣＧ液
【図１】
2005192681.tif 000003
【図２】
2005192681.tif 000004
(57)【要約】【課題】  洗濯に伴い使用する洗濯袋、セーターなどの特殊衣類乾し器、洗濯物を視線や盗難から保護する機能を一体化した多機能ネットを提供する。【解決手段】  網布地（１）の上下にワッカ状の短い紐（３）とワッカ状の長い紐（４）を重ねて等間隔に設け、更にその左右に結び用紐（７）を２本ずつ設け、図２に示すよう網布地（１）を左右に折り込み、その外周上にオープンファスナー（２）を設け、その網布地（１）を洗濯ハンガー（６）に装着するために図４に示すよう装着具（５）を設けたことを特徴とする。【選択図】  図１
2005192668.tif 000002
【特許請求の範囲】
【請求項１】
網布地（１）の上下にワッカ状の短い紐（３）とワッカ状の長い紐（４）を重ねて等間隔に設け、更にその左右に結び用紐（７）を２本ずつ設け、図２に示すよう網布地（１）を左右に折り込み、その外周上にオープンファスナー（２）を設け、その網布地（１）を洗濯ハンガー（６）に装着するために図４に示すよう装着具（５）を設けた多機能ネット
なお本多機能ネットは一対を基本構成とする。
【発明の詳細な説明】
【技術分野】この発明は、網布地（１）にワッカ状の短い紐（３）とワッカ状の長い紐（４）を等間隔に設け、更にその左右に結び用紐（７）を２本ずつ設け、更に網布地（１）を左右に折り込み、その外周上にオープンファスナー（２）を設けることにより個別に行っていた洗濯作業の工程である洗濯袋で洗う、セーターなど干す、タオルなどで洗濯物を隠す機能を、一体化させた多機能ネットに関するものである。
【背景技術】
【０００１】従来は、傷みやすい洗濯物を保護するために洗濯袋を利用し、また洗濯物を視線や盗難から保護するために洗濯ハンガーにタオルなどを巻きつけていた、またセーターなどを干すために専用用品などを使用していた。
【発明の開示】
【発明が解決しようとする課題】
【０００２】これは次のような欠点があった。
（イ）  個々の機能を利用するためには個別の専用用品が必要であった。
（ロ）  洗濯物を視線や盗難から保護するために、洗濯ハンガーにタオルなどを巻きつけるため通気性が悪く洗濯物が乾きにくかった。
【課題を解決しようとする手段】
【０００３】網布地（１）の上下にワッカ状の短い紐（３）とワッカ状の長い紐（４）を重ねて等間隔に設け、更にその左右に結び用紐（７）を２本ずつ設け、図２に示すよう網布地（１）を左右に折り込み、その外周上にオープンファスナー（２）を設け、その網布地（１）を洗濯ハンガー（６）に装着するために図４の装着具（５）を設ける。本発明は以上の構成によりなる。
【発明の効果】
【０００４】本発明を使用することによって個別の専用用品揃える必要性がなく経済的な上、洗う、干す、隠す機能が一体化していることにより利便性が向上し、また特に問題視されている女性の衣類などを盗難や視線から防ぐ効果がある。
【発明を実施するための最良の形態】
【０００５】以下、本発明の実施例について説明する。
（イ）網布地（１）の上下にワッカ状の短い紐（３）とワッカ状の長い紐（４）を重ねて等間隔に設ける。
（ロ）網布地（１）の左右に結び用紐（７）を２本ずつ設ける。
（ハ）図２に示すよう網布地（１）を左右に折り込み、その外周上にオープンファスナー（２）を設ける。
（ニ）網布地（１）を洗濯ハンガー（６）に装着するために図４に示すよう装着具（５）を設ける
本発明は以上のような構造で、これを使用する時は、図１に示すよう網布地（１）を広げ、ワッカ状の短い紐（３）に図４に示すよう装着具（５）を取り付けその装着具（５）を図５に示すよう洗濯ハンガー（６）の洗濯ハンガーフレーム（８）に取り付ける更に同一工程を繰り返した網布地（１）を図５に示すよう対面に取り付けることにより洗濯物を視線や盗難から保護することが可能である。
また図２に示すよう網布地（１）の左右を内側に折りたたみ、ワッカ状の長い紐（４）に図４に示すよう装着具（５）を取り付けその装着具（５）を図７に示すよう洗濯ハンガー（６）の洗濯ハンガーフレーム（８）に取り付けることによりセーターなどの洗濯物を傷めることなく干すことが可能である。
更に同一工程を繰り返した網布地（１）を図８に示すように取り付けることも可能である。
また図１、図２、図３の順に網布地（１）を折りたたみ、その周りをオープンファスナー（２）で閉じることにより図３のように洗濯袋として使用もできる。
なお図９のように示すように様々な形状の洗濯ハンガーにも対応する。
【図面の簡単な説明】
【０００６】
【図１】本発明の斜視図である。
【図２】本発明の折りたたみ状態を示す斜視図である。
【図３】本発明の実施機能例を示す斜視図である。
【図４】本発明の装着を示す斜視図である。
【図５】本発明の実施機能例を示す斜視図である。
【図６】本発明の実施機能例を示す斜視図である。
【図７】本発明の実施機能例を示す斜視図である。
【図８】本発明の実施機能例を示す斜視図である。
【図９】本発明の他の実施例を示す斜視図である。
【符号の説明】
１  網布地                ２  オープンファスナー
３  ワッカ状の短い紐      ４  ワッカ状の長い紐
５  装着具                ６  洗濯ハンガー
７  結び用紐              ８  洗濯ハンガーフレーム
【図１】
2005192668.tif 000003
【図２】
2005192668.tif 000004
【図３】
2005192668.tif 000005
【図４】
2005192668.tif 000006
【図５】
2005192668.tif 000007
【図６】
2005192668.tif 000008
【図７】
2005192668.tif 000009
【図８】
2005192668.tif 000010
【図９】
2005192668.tif 000011
(57)【要約】【課題】  ネイルを施すさいに難しかった爪の生え際、また利き手以外の爪、更には個人的に施すことが非常に困難であった個性的なネイルアートを手軽に、また簡単に施すことが可能になるネイル補助具を提供する。【解決手段】  爪開口部（１）と２つの通気口（１）を空けることができる指型に薄くゴムを設け、更に指固定用針金（１）と爪生え際調整用針金（１）とテンプレートストッパー（１）を取り付け更に薄くゴムを設け、更に図柄テンプレート（６）設けたことを特徴とする【選択図】  図１
2005192669.tif 000002
【特許請求の範囲】
【請求項１】
型に爪開口部（１）と左右対称の通気口（２）を空けその型に薄くゴムなどを設け、更に指固定用針金（３）と爪生え際調整用針金（４）とテンプレートストッパー（５）を取り付け、更に薄くゴムなどを設け、更に図柄テンプレート（６）設けたネイル補助具。
【発明の詳細な説明】
【技術分野】この発明は、型に爪開口部（１）と左右対称の通気口（２）を空けその型に薄くゴムなどを設け、更に指固定用針金（３）と爪生え際調整用針金（４）とテンプレートストッパー（５）を取り付け、更に薄くゴムなどを設け、更に図柄テンプレート（６）設けることにより、爪の生え際、また利き手以外の爪、更にネイルアートなどを誰もが手軽に施すことができる、ネイル補助具に関するものである。
【背景技術】
【０００１】従来ネイルを施す場合はネイルに付属する筆を利用し個別に塗っていた。
これは特に爪の生え際、また利き手以外の爪などを施すが困難であった。
またこれを補うための補助具などはなかった。
また個性的なネイルアートなどは個人で施すことは困難であるためネイル専門店などで施していた。
【発明の開示】
【発明が解決しようとする課題】
【０００２】  これは次のような欠点があった。
（イ）    基本的にネイルに付属する筆を利用するため、爪の生え際、また利き手以外の          爪などを施すことが困難であった。
（ロ）    個性的なネイルアートなどは個人が個人で施すことは困難であった。
【課題を解決しようとする手段】
【０００３】型に爪開口部（１）と左右対称の通気口（２）を空けその型に薄くゴムなどを設け、更に指固定用針金（３）と爪生え際調整用針金（４）とテンプレートストッパー（５）を取り付け、更に薄くゴムなどを設け、更に図柄テンプレート（６）を設ける。
本発明は以上の構成によりなる。
【発明の効果】
【０００４】本発明を使用することによってネイルに付属する筆のみで爪の生え際、また利き手以外の爪などのネイルが簡単に行うことができ、また個性的なネイルアートなどもネイルに付属する筆のみで個人で施すことができる効果がある。
【発明を実施するための最良の形態】
【０００５】以下、本発明の実施例について説明する。
（イ）型に爪開口部（１）と左右対称の通気口（２）を空けその型に薄くゴムなどを          設ける。
（ロ）薄くゴムなどを設けた型に指固定用針金（１）と爪生え際調整用針金（４）と          テンプレートストッパー（５）を取り付け更に薄くゴムなどを設ける。
（ハ）ネイルアートを施すための、図柄テンプレート（６）を設ける
本発明は以上のような構造で、これを使用する時は、図４に示すようネイルを施す指にネイル補助具をはめ、図５に示すよう指固定用針金（３）で指とネイル補助具を固定し、更に同じように図２、図３、爪生え際調整用針金（４）でネイル補助具と爪の生え際調整する、更に図６に示すようネイル付属筆（７）で爪の生え際などを気にすることなくネイルを施すことができる、更に図７に示すようにネイルアートを施す場合は、ネイル補助具のテンプレートストッパー（５）に図柄テンプレート（６）を固定しネイル同様に図柄テンプレート（６）の上からネイル付属筆（７）でネイルを施すことにより誰もが手軽に個性的なネイルアートを施すことが可能である。
なお図８に示すように様々なタイプの図柄テンプレート郡（８）にも対応する。
【図面の簡単な説明】
【０００６】
【図１】  本発明の斜視図である。
【図２】  図１のＡ−Ａ断面図である。
【図３】  図１のＢ−Ｂ断面図である。
【図４】  本発明の実施機能例を示す斜視図である。
【図５】  本発明の実施機能例を示す斜視図である。
【図６】  本発明の実施機能例を示す斜視図である。
【図７】  本発明の実施機能例を示す斜視図である。
【図８】  本発明の実施機能例を示す斜視図である。
【符号の説明】
１  爪開口部                    ２  左右対称の通気口
３  指固定用針金                ４  爪生え際調整用針金
５  テンプレートストッパー      ６  図柄テンプレート
７  ネイル付属筆                ８  図柄テンプレート郡
９  爪                        １０  指
【図１】
2005192669.tif 000003
【図２】
2005192669.tif 000004
【図３】
2005192669.tif 000005
【図４】
2005192669.tif 000006
【図５】
2005192669.tif 000007
【図６】
2005192669.tif 000008
【図７】
2005192669.tif 000009
【図８】
2005192669.tif 000010
(57)【要約】【課題】絆創膏を巻きつけている指を滑らずに使いやすくする。【解決手段】絆創膏表面全体にレーヨン紙を貼り付けて滑らないようにした。【選択図】図２2005192982.tif 000003
2005192982.tif 000002
【特許請求の範囲】
【請求項１】
表面に滑り防止を目的とする加工を施した絆創膏。
【発明の詳細な説明】
【特許の詳細な説明】
【技術分野】
【０００１】  本発明は絆創膏を指先に巻いたとき、その指が滑ることによる能力低下を防ぐものである。
【背景技術】
【０００２】  従来は、表面が滑らないことを目的として加工を施した絆創膏はなかった。
【発明が解決しようとする課題】
【０００３】  作業をすることによって怪我を負いやすい指先であるが、いざ怪我をして絆創膏を巻くと、作業を再開したとき素指に比べてとても滑りやすく、作業が困難になるという難点があった。又、従来の絆創膏を貼った上に指サックをはめてしまうと、絆創膏の通気性を損ねてしまうという問題があった。本発明は、これらの問題を解消するためになされたものである。
【課題を解決するための手段】
【０００４】  絆創膏の表面全体に、滑り止め用紙として市販されているレーヨン紙を貼り付けた。
【発明を実施するための最良の形態】
【０００５】以下、本発明の実施の形態について説明する。
（イ）．従来の絆創膏の表面に、通気性のある両面テープ等でレーヨン紙等の滑り止め効果及びに通気性のあるものを貼り付ける。若しくはレーヨン紙等自体の片面に粘着性を持たせ、その面の定位置にガーゼ等を固定し、従来の絆創膏と同様の形態とする。
【発明の効果】
【０００６】  絆創膏を巻いている指でも素指とほぼ同様に使うことが出来、従来の絆創膏を巻いたときより作業能率が格段に向上した。
【図面の簡単な説明】
【図１】  従来の絆創膏の表面全体にレーヨン紙を貼り付けたことを示した断面図である。
【図２】  考案した絆創膏の使用状況を示す平面図である。
【符号の説明】
１  レーヨン紙
２  両面テープ
３  ガーゼ
【図１】
2005192982.tif 000004
【図２】
2005192982.tif 000005
(57)【要約】      （修正有）【課題】歩きやすく脱着容易なスノーボード用ブーツの提供。【解決手段】従来のスノーボード用ブーツ及び取付金具におけるソフトブーツタイプのブーツが柔らかく歩行しやすいものの脱着が面倒というデメリットと、ハードブーツタイプの脱着はワンタッチで可能であるものの歩行時にはブーツが硬くて歩きづらいというデメリットを打ち消すためにソフトブーツタイプとハードブーツタイプの良い点を組み合わせたものである。すなわち、ソフトブーツにビンディングを装着し、その状態で板に取り付けてある金具にワンタッチで装着するものである。通常の歩行時にはソフトブーツタイプの歩きやすさを保ちつつ、脱着時においてはハードタイプブーツのようにその操作がワンタッチで出来るというような改良を実現した。また、ブーツにビンディングを装着した状態でも歩行自体は可能なので、リフト乗降時等の短時間の歩行にはそのままで対応できる。【選択図】図１
2005192981.tif 000002
【特許請求の範囲】
【請求項１】
ソフトブーツでありながらハードブーツのようにステップインで装着ができ、尚且つビンディングによる歩行が可能なスノーボード用金具セット
【発明の詳細な説明】
【技術分野】
【０００１】この発明は、スノーボード用ソフトブーツをワンタッチでスノーボード用板からはずせるようにする取付金具に関するものである。
【背景技術】
【０００２】従来のスノーボード用ブーツ及び取付金具は、ソフトブーツタイプとハードブーツタイプに大別できる。
【発明の開示】
【発明が解決しようとする課題】
【０００３】従来のスノーボード用ブーツ及び取付金具には、つぎのような問題点があった。ソフトブーツタイプはブーツが柔らかく歩行しやすいものの脱着が面倒というデメリットがあり、ハードブーツタイプは脱着はワンタッチで可能であるものの歩行時にはブーツが硬くて歩きづらいというデメリットがあった。
【課題を解決するための手段】
【０００４】本発明は、以上のようなデメリットを打ち消すためにソフトブーツタイプとハードブーツタイプの良い点を組み合わせたものである。すなわち、ソフトブーツにビンディングを装着し、その状態で板に取り付けてある金具にワンタッチで装着するものである。
【発明の効果】
【０００５】本発明により、通常の歩行時にはソフトブーツタイプの歩きやすさを保ちつつ、脱着時においてはハードタイプブーツのようにその操作がワンタッチで出来るというこれまでの双方の美点だけを取り入れることが出来た。なおかつ、ブーツにビンディングを装着した状態でも歩行自体は可能なので、リフト乗降時等の短時間の歩行にはそのままで対応できる。
【図面の簡単な説明】
【０００６】
【図１】本発明の斜視図である。
【符号の説明】
【０００７】１  ブーツ
２  ビンディング
３  金具
４  板
【図１】
2005192981.tif 000003
(57)【要約】【課題】この発明は、従来のマッサージによる施術が長い経験を必要とするのに比べて短時間で修得できる施術方法。【解決手段】セラミックで作られている直径約５センチメートルのボールを２個使用する。この２個のボールは、鎖で連結されている。マッサージを行うときは、片手又は両手にボールを持ち、施術する部分に上下又は左右にマッサージをすることで施術する。【選択図】図１
2005192956.tif 000002
【特許請求の範囲】
【請求項１】
直径約５センチメートルのセラミックボールを２個連結した器具を使用して、身体全体にマッサージを施すことによって、縮んだ筋肉を伸ばし、血液中の老廃物を体外に排出し、精神的緊張を解きほぐす方法。
【発明の詳細な説明】
【発明の詳細な説明】
【発明の属する技術の分野】
【０００１】本発明は、２個の連結したセラミックボールを使用し、これを使用して全身マッサージを実施することによって血行を促進し、筋肉と精神とをリラックスさせる方法である。
【背景技術】
【０００２】従来の技術は、マッサージの施術者が手、指等を使用して身体の筋肉痛等を取り除くものである。
【発明が解決しようとする課題】
【０００３】従来のマッサージは、手や指を用いるために、その施術方法を修得するに長時間の訓練を必要としている。
【課題を解決するための手段】
【０００４】本発明によれば、既存のセラミックボールを使用するために短時間でその取り扱い方法が体得できるうえ、施術結果において施術者の経験年数等による個人差が極めて少ない。
【発明を実施するための最良の形態】
【０００５】セラミックボール２個を連結してこれを１器具とする。これを、片手又は両手に持って肩凝りや筋肉痛あるいはストレスから来る疲れに悩む人に施術する。方法は、患部を中心に、場合により全身をボールでマッサージする。
実施時間は、３０分から１時間が平均的時間といえる。
【発明の効果】
【０００６】血行が促進され、筋肉痛は取り除かれ、精神的ストレスが取り除かれてリラックスした状態になる。
【図面の簡単な説明】
【０００７】
【図１】本発明に使用するセラミックボールの形状
【図２】本発明に使用するセラミックボールを手に握ったときの状態
【図３】背中へのマッサージを施す場合の様子
【図４】ふくらはぎへのマッサージを施す場合の様子
【符号の説明】
【０００８】１は、セラミックで作られたボールと２個を連結した形態でボールの大きさは約５センチメートル
２は、２個のボールを連結するさいに必要となる環の形状
３は、２個のボールを連結するための鎖
【図１】
2005192956.tif 000003
【図２】
2005192956.tif 000004
【図３】
2005192956.tif 000005
【図４】
2005192956.tif 000006
(57)【要約】      （修正有）【課題】一般に製造市販されている各種車いすの規格や寸法を考慮し、意匠性、機能性、安全性を損なうことなく簡単に取り付けることのできる各種素材、寸法、安全装置をもった、身障者が楽で具合の良い姿勢で遠隔でフットプレートの開閉操作ができる装置を提供する。【解決手段】操作レバーを左右どちらか、または左右両側に取り付け、フットレストとの取り付け部の摩擦抵抗をなくし、自在な回転をもたせた左右のフットプレートをワイヤー・ロープでそれぞれ連結し、ガイド金物で固定ガイドする。【選択図】図１
2005192959.tif 000002
【特許請求の範囲】
【請求項１】
身障者及び介護者が無理のない姿勢で車いすのフットプレートの開閉を手元で操作できる装置。
【発明の詳細な説明】
【発明の詳細な説明】
【技術分野】
【０００１】  本発明は、車いすのフットプレート開閉操作装置に関する。
【背景技術】
【０００２】  従来の車いすのフットプレートの開閉操作は身障者又は介護者が直接手又は足を使い開閉の操作を行っている。フットレストとフットプレートの取り付け部に摩擦抵抗を持たせフットプレートの自在な回転を止めている。
【発明が解決しようとする課題】
【０００３】  車いすに身障者が乗ろうとするとき、まず腰をかがめるか、しゃがみこんでフットプレートを直接手で上に開いて乗り、次に座シートに座ってから不自由な足をひねりながらフットプレートを元に戻す。そして車いすから降りようとするときは座シートに座ったまま不自由な足をひねりながら、健常者でも難しい操作であるフットプレートを開かなければならない。又、介護者がフットプレートの開閉操作を行う場合は腰をかがめるか、しゃがみこんで直接手で上に開いたり戻したりしなければならない。介護者が高齢者の場合は腰をかがめたり、しゃがみこんだりの動作は困難で苦痛である。
【課題を解決するための手段】
【０００４】  本発明は、一般に製造及び市販されている車いすの規格や寸法を考慮し、機能性安全性を損なうことなく、フットレストとフットプレートとの取り付け部の摩擦抵抗をなくし、フットプレートに自在な回転をもたせ、フットプレートから遠隔な位置、座シートから肘掛けあたりにフットプレート開閉操作装置を左右どちらか、又は左右両側共か、身障者の具合に合わせて操作しやすい場所に１ヶ所、又は２ヶ所にフットプレート開閉装置の操作レバーを取り付けることにより、身障者又は介護者が不自由な足を使ったり、腰をかがめたり、しゃがみこんだりすることもなく楽な姿勢でフットプレートの開閉が可能となり、よって上記課題を解決するものである。
【実施例】
【０００５】本発明の、車いすのフットプレート開閉操作装置は、図１に示すように、▲１▼操作レバーを左右どちらか、又は左右両側か、身障者の具合の良い方に取り付け、フットレストとフットプレートとの取り付け部の摩擦抵抗をなくし、自在な回転をもたせた▲４▼左右のフットプレートを▲２▼ワイヤー・ロープでそれぞれ連結し、車いすを収納折りたたむ時に支障のないように▲２▼ワイヤー・ロープを▲３▼ガイド金物で固定ガイドする。▲１▼▲２▼▲３▼▲４▼の各部品はバンド又はボルトナット等で簡単に取り付けられるものである。そして▲１▼操作レバーは身障者が乗り降りするときは、操作レバーから手が離れ操作レバーはフリーとなるため操作レバーがゆるみ動かないようスプリング・バネ等を組み込んだストッパー付機能を有するものである。【０００６】  次に動作について説明する。まず身障者が乗ろうとするとき、▲１▼操作レバーを上げる側に操作すると、連結された▲２▼ワイヤー・ロープが引かれて▲４▼左右のフットプレートが上がる。そして乗り込み座シートに座る。次に、▲１▼操作レバーを戻す側に操作すると、フットレストとフットプレートとの取り付け部の摩擦抵抗をなくし、自在な回転をもたせたフットプレートが自重で元の位置戻る、又はスプリング、バネを組み込んでフットプレートを元の位置に戻し、足をのせ安全を確認してから走行移動する。次に降りようとするときは、乗ろうとするときの逆の手順操作をする。次に、車いすを収納折りたたむ時は必ず▲１▼操作レバーを上げる側に操作しフットプレートを上げてから折りたたみ収納する。
【発明の効果】
【０００７】  以上のように、請求項１記載の発明によれば、一般に製造市販されている各種の車いすに簡単に取り付けることができ、身障者、介護者ともに不自由な足を使うことなく、腰を曲げたり、しゃがんだりすることもなく、楽な姿勢で車いすのフットプレートの開閉操作ができる。身障者にとって車いすへの乗り降りがスムーズかつ安全で身体に無理がなく、よって安全性、機能性に優れている。
【図面の簡単な説明】
【図１】本発明に係る車いすのフットプレート開閉操作装置の構成を示す外観図である。
【符号の説明】
１・・・操作レバー
２・・・ワイヤー・ロープ
３・・・ガイド金物
４・・・フットプレート
【図１】
2005192959.tif 000003
(57)【要約】【課題】    車椅子・バギー・座位保持装置等の姿勢保持の機能を高める。【解決手段】    背面のパイプ形状を座る方の体幹側面までサポートする特殊なパイプ形状１にすることによって解決する。【選択図】  図１
2005192955.tif 000002
【特許請求の範囲】
【請求項１】
背もたれの特殊なパイプ形状を持ち、そのパイプによって構成される背面・側面が、車椅子・バギー・座位保持装置等に座る対象者の姿勢保持に高い効果を発揮することを特徴とする。
【発明の詳細な説明】
【発明の詳細な説明】
【技術分野】
【０００１】    本発明は、車椅子の背もたれパイプ形状を、単なる直線形状によって構成されているものではなく、体幹の側面まで保持する、独特の形状にしたものである。同時にその形状は腰椎の自然な前湾を保持することを容易にしている。
【背景技術】
【０００２】  従来の車椅子の背もたれのパイプは、人の体幹の側面に対してまで保持するものは無かった。
【発明が解決しようとする課題】
【０００３】  姿勢の保持をより安定化させることによって、今まで体幹の保持が安定しないために、ベルト等によって拘束せざるを得なかった方々にも安心して車椅子に乗せることができる。
また、将来に脊柱が側湾する危険性を持つ方々にも、側湾の予防の一つとして意味をもつ形状である。
【課題を解決するための手段】
車椅子の背もたれのパイプ形状を、車椅子使用対象者の体幹の側面を通る特殊な形状とする。
【発明を実施するための最良の形態】    車椅子の背もたれのパイプをパイプベンダー等により車椅子使用対象者に適合した形に曲げる。
【実施例】
【発明の詳細な説明】
【図面の簡単な説明】
【図１】車椅子の側面図である。
【図２】車椅子の背面のパイプ形状が、人間の腰椎の前湾に対していかに効果を与えるかを表す図である。
【図１】
2005192955.tif 000003
【図２】
2005192955.tif 000004